(57)【要約】【課題】軽量かつ薄型で長尺化が容易でありセンサーにより音声を発する看板等に使用好適な内照式表示板を実現する。【解決手段】底部と互いに対向する一対の壁部とを具えて開口面を有する匡体基盤と、匡体基盤内部の光源と、前記底部に設けた反射板と、前記一対の壁部の間に架設される映像部と、音響装置と、ヒトを感知して前記音響装置から音声、音楽等を発信させるセンサ手段とを、具え、前記反射板は９９％以上の拡散反射率を有し、前記映像部は、表面透明板と内側透光板とこの両者の間隙で形成される文字・図形等の映像媒体挿入部とからなり、前記音響装置は、スピーカとスピーカ駆動手段と録音再生手段とからなる構成を採用することにより、上記課題を解決して壁面埋め込み、壁面取り付け等の据え置きタイプでは省スペースを実現し、移動タイプでは、軽量で取り扱いが容易なことはもちろんのこと、意匠性に優れ、訴求力も高い。【選択図】　　図２
2004077654.tif 000002
【特許請求の範囲】
【請求項１】
底部とこの底部から立ち上がり互いに対向する一対の壁部とを具えて開口面を有する匡体基盤と、匡体基盤内部に配置した光源と、前記底部に設けた反射板と、前記一対の壁部の間に架設される映像部と、音響装置と、ヒトを感知して前記音響装置から音声、音楽等を発信させるセンサ手段とを、具え、前記反射板は９９％以上の拡散反射率を有し、前記映像部は、表面透明板と内側透光板とこの両者の間隙で形成される文字・図形等の映像媒体挿入部とからなり、前記音響装置は、スピーカとスピーカ駆動手段と録音再生手段とからなることを特徴とする内照式薄型表示板。
【請求項２】
請求項１において、一対の各壁部の開口面側の内側端部には映像部を架設するための第１溝部を一対それぞれ相対向するように形成するとともに、各壁部の開口面側の先端部には第２溝部を一対それぞれ相対向するように形成したことを特徴とする内照式薄型表示板。
【請求項３】
請求項１または２いずれかにおいて、反射板は、微細気泡を有する熱可塑性プラスチック発泡シートで構成し、音響装置のスピーカは匡体基盤または映像部の内側透光板のいずれかで構成したことを特徴とする内照式薄型表示板。
【請求項４】
請求項３において、前記第１溝部または第２溝部の裏側（底部側）には、反射板としての微細気泡を有する熱可塑性プラスチック発泡シートの端部挿入溝を形成し、匡体基盤の底部に設置される反射板の両端部は前記端部挿入溝に係止されるようにしたことを特徴とする内照式薄型表示板。
【請求項５】
請求項４において、壁部と底部と端部挿入溝から底部に至る反射板に囲繞される区画により、スピーカを除く音響装置、光源の駆動手段、センサ手段の駆動手段等の設置空間を構成したことを特徴とする内照式薄型表示板。
【請求項６】
請求項３ないし５のいずれかにおいて、反射板を構成する熱可塑性プラスチック発泡シートの拡散反射率は９０％以上であることを特徴とする内照式薄型表示板。
【発明の詳細な説明】
【０００１】
【発明の属する技術分野】
本願発明は、商品、店舗の広告宣伝にあるいは案内表示その他の情報の提供に、室内外を問わず使用できる光源内蔵の表示板に関し、詳しくは、薄型ながら十分な明るさで図形、文字等の情報内容を表示するばかりでなく、ヒトを感知して音声情報をも提供することのできる内照式薄型表示板に関するものである。
【０００２】
【従来の技術】
従来公知の、いわゆる内照式看板にあっては、視覚に対する訴求効果を高めるため、光源である蛍光灯を多数使用して高輝度を図ったり、色彩効果の高いネオン管を採用する等して視覚に映ずる効果を高める工夫がなされている。
また、顧客等へのアピール度をより高めるために、文字、図形等の視覚による商品等の広告宣伝情報に加えて、音声情報を付加する試みもなされている。
【０００３】
【発明が解決しようとする課題】
しかしながら、例えば光源として蛍光灯を使用する場合、文字、図形等の視覚による商品等の広告宣伝情報を表示した光透過性表面部と蛍光灯との距離を所定以上に設定しないと光源の形状がそのまま光透過性表面部に投影されてしまうことになる。この現象は、光源の光度を増せば増すほど顕著になるから、光源光度を増加させればさせるほど、光源と前記光透過性表面部との距離を長くせざるを得ず、看板自体の厚みが増し大型化してしまう。　これを回避するために、光源光度を減らせば看板自体の訴求効果が損なわれるというジレンマに陥る。また、従来のいわゆる音声看板では、音声信号を発信するスピーカを設置するスペースが大きくなり、したがって看板自体も大型化せざるを得ない。
【０００４】
【課題を解決するための手段】
本願発明は、内照式薄型表示板を底部とこの底部から立ち上がり互いに対向する一対の壁部とを具えて開口面を有する匡体基盤と、匡体基盤内部に配置した光源と、前記底部に設けた反射板と、前記一対の壁部の間に架設される映像部と、音響装置と、ヒトを感知して前記音響装置から音声、音楽等を発信させるセンサ手段とを、具え、前記反射板は９９％以上の拡散反射率を有し、前記映像部は、表面透明板と内側透光板とこの両者の間隙で形成される文字・図形等の映像媒体挿入部とからなり、前記音響装置は、スピーカとスピーカ駆動手段と録音再生手段とからなる構成を採用することにより、上記従来の課題を解決して壁面埋め込み、壁面取り付け等の据え置きタイプでは省スペースを実現し、移動タイプでは、軽量で取り扱いが容易なことはもちろんのこと、それ自体の意匠性に優れかつ看るヒトに対する訴求性を高めた内照式薄型看板を実現しようとするものである。
【０００５】
上記構成において、一対の各壁部の開口面側の内側端部には映像部を架設するための第１溝部を一対それぞれ相対向するように形成するとともに、各壁部の開口面側の先端部には第２溝部を一対それぞれ相対向するように形成することがある。
【０００６】
また、上記いずれかにおいて、反射板は、微細気泡を有する熱可塑性プラスチック発泡シートで構成し、音響装置のスピーカは匡体基盤または映像部の内側透光板のいずれかで構成することがある。
【０００７】
さらに、上記において、前記第１溝部または第２溝部の裏側（底部側）には、反射板としての微細気泡を有する熱可塑性プラスチック発泡シートの端部挿入溝を形成し、匡体基盤の底部に設置される反射板の両端部は前記端部挿入溝に係止されるようになすことがある。
【０００８】
またさらに、上記において、壁部と底部と端部挿入溝から底部に至る反射板に囲繞される区画により、スピーカを除く音響装置、光源の駆動手段、センサ手段の駆動手段等の設置空間を構成することがある。
【０００９】
そしてさらに、上記のいずれかにおいて、反射板を構成する熱可塑性プラスチック発泡シートの拡散反射率は９０％以上となすことがある。
【００１０】
【発明の実施形態】
以下、本願発明の実施形態を説明する。
図１は、本願発明の１実施形態に係る匡体基盤の断面図である。図において、１はアルミ材の押し出し成形による匡体基盤であり、底部２の両端に互いに対向する一対の壁部３、３を有している。なお、底部の反対側は開口しており、この開口面には後述の映像部が形成されることになる。
【００１１】
さらに、一対の各壁部３，３の開口面側の内側端部には映像部を架設するための第１溝部４，４が一対それぞれ相対向するように形成されている。　第１溝部４と４との間に匡体基盤１の開口面が形成されている。
また、各壁部３，３の開口面側の先端部には第２溝部５．５が前記第１溝部４，４にそれぞれ隣接して形成されていて、これら第２溝部５．５には縁取りモール、ＬＥＤ，あるいは後述の音響装置と協動する対人センサー等が填め込み固定されるようになっている。
さらに、図１において、６，７は前記壁部３，３の内側に形成された汎用掛止溝であり、７，８は前記底部２に設けられた汎用掛止溝である。
【００１２】
図２は、該実施形態に係る内照式薄型表示板の断面図であり、図１に示した匡体基盤１内に所用の部材を搭載して構成されている。
すなわち、図２において、１０，１０は、後述の反射板の両端部を固定するための端部挿入溝、１１は、前記一対の壁部３，３の間に架設される映像部であり、この映像部１１は表面透明板１２と内側透光板１３と、この両者の間隙で形成される文字・図形等の映像媒体挿入部１４とからなっている。　この映像媒体としては、フィルムあるいはポスター等の印刷物が使用される。
前記表面透明板１２は、例えばアクリル樹脂板（クリヤー）で形成され、内側透光板１３は光拡散機能を有するアクリル樹脂板の乳白色タイプで構成されている。
【００１３】
さらに、１５は、光源としての蛍光灯１６，１６の光を映像部１１方向に拡散反射するための反射板であり、この実施形態ではこの反射板１５を、微細気泡を有する熱可塑性プラスチック発泡シートで構成して、その反射率は９９％以上に設定してある。
【００１４】
反射板１５は、匡体基盤１の底部２内面に設置され、底部２から斜め外方に立ち上がったその両端部は前記端部挿入溝１０，１０に挿入固定されている。
また、１７は、光源としての蛍光灯１６，１６の駆動手段としての安定器等であり、壁部３と底部２と端部挿入溝１０から底部２に至る反射板１５に囲繞される空間に設置され、汎用溝７に係止固定されている。
さらに、１８は、前記安定器１７等と同様に壁部３と底部２と端部挿入溝１０から底部２に至る反射板１５に囲繞される空間に設置された音響装置（スピーカを除く）、センサ手段の駆動手段である。　そして、１９，１９は、前記第２溝部５．５に挿入設置される縁取りモール、対人赤外線センサー等である。
そして、２０はスピーカー駆動手段であり音響装置のアクチュエータからの出力信号に応じてスピーカーとしての映像部１１を動作させて所定の音声信号を発振する。　このスピーカー駆動手段２０は、匡体基盤１の底部２に取り付けて匡体基盤１全体をスピーカーとしてもも良いが、音声が反響するため前記のように映像部１１に取り付けてこれから音声を出力するのがベターである。
【００１５】
前記音響前装置は、スピーカとスピーカ駆動手段と録音再生手段とからなり、スピーカとその駆動手段は、周知のいわゆるパネルスピーカシステムで構成されている。　すなわち、例えば前記スピーカ駆動手段は磁気回路とボイスコイルとを具えたエキサイタで構成され、このエキサイタにより励振されて音声を発信する振動体すなわちスピーカを、該実施形態では前述のように樹脂パネル等で構成される映像部１１で構成している。
【００１６】
また、音響装置における録音再生手段も、磁気テープ、磁気ディスク等の記録媒体に記録された音声信号を再生する周知のものを使用する。　そして、音響装置の動作すなわち記録媒体から再生した音声のスピーカから発信は、前記第２溝部５に設定されたセンサーの指示によりなされる。　センサーは、反射式赤外線センサーとその制御装置とからなり、赤外線センサーから所定距離内にヒトを検知すると制御信号を出力して前記録音再生手段を動作させ、この結果映像部１１から、広告宣伝、音楽、商品説明その他種々の音声情報が発信されて、内照式表示板を見るヒト、その近傍にあるヒトにアピールして広告宣伝等の訴求力を高める。
【００１７】
該実施形態で、図１において、匡体基盤１の寸法は、壁部３と３との距離は２５７ｍｍ，壁部３の高さは約４５ｍｍに設定してある。
したがって、図２において、映像部１１の表面透明板１２と底部２内側面との
距離Ｌは、ほぼ４０ｍｍとなる。従来の反射板を使用する場合、このように前記Ｌが短いと、光源としての蛍光灯等の形状が映像部１１に映じてしまう。この現象を回避するには、前記Ｌを大きくするか、光源の光度を減らさざるを得ない。
Ｌを大きくすれば、全体として圧さが増し、小型、薄型化の要請に応えることができない。　また、光源の光度を減らせば、映像部が暗くなり表示効果が損なわれることになる。　しかしなが、本願発明では、反射板１５を、微細気泡を有する熱可塑性プラスチック発泡シートで構成して、その光の拡散反射率を９９％以上にしたので、前記従来の不都合を克服して、小型、薄型化を実現できる。
【００１８】
このように、匡体基盤１の厚さを極めて薄型にできるから、図３に示すように光源としての蛍光灯１６を多数交差させて設置し、図で水平方向に延長して所望の長さ、例えば１０メートルを超えるような内照式表示板を自在に得ることができる。　従来でも、このような長さのものは技術的には可能であるが、現実には厚さが増し、大型化、重量化を避けられず、このようなものを埋め込み看板、掛け看板として使用することは事実上不可能であった。
【００１９】
図４は、本願発明に係る内照式表示板の他の実施形態を示す斜視図である。
この実施形態では、内照式表示板Ａ、Ａを背中合わせにすることにより、双方向から見える移動に適したスタンド式看板を構成している。　このような構成は、匡体基盤１を薄型にし、光源を小型化することによりはじめて実用的に可能になる。　従来では、重量があり、厚くなってしまい看板の出し入れ移動が容易でなく到底実用性を得ることができない。　もっとも、小型軽量化、薄型化のみを求めるのであれば、ＬＥＤ表示板等を使用すれば良いが、表示の内容密度を高めるには所定の装置類を必要とする。これに対して、本願に係る内照式表示板では、映像媒体挿入部に図形、文字等の表示されたフィルム、ポスター等を差し込めば、高密度の精緻な映像を手軽に表示できる。
【００２０】
【発明の効果】
本願発明に係る内照式表示板は、光源と表面側の映像との距離を極めて短くできるので、薄型化が実現でき設置場所が限られるなどの制約も少なく、看板等としての適用範囲が広がる。　また、少ない光量でも明瞭な映像を得られる、ヒトを検知して音声を発信するので高い訴求効果を得られるなどの利点もある。
【図面の簡単な説明】
【図１】本願発明の１実施形態に係る内照式表示板の匡体基盤の縦断面図である。
【図２】図１における匡体基盤に種々の部材を搭載した場合の縦断面図である。
【図３】匡体基盤の一部切欠正面図である。
【図４】移動式スタンド型看板の斜視図である。
【符号の説明】
１．．．．．．．．．匡体基盤
２．．．．．．．．　底部
３．．．．．．　壁部
４．．．．．．　第１溝部
１１．．．．．反射板
１２．．．．．表面透明板
１３．．．．．内側透光板
１４．．．．．．端部挿入部
１５．．．．．．反射体
【図１】
2004077654.tif 000003
【図２】
2004077654.tif 000004
【図３】
2004077654.tif 000005
【図４】
2004077654.tif 000006